(57)【要約】【課題】光ファイバの引き落としの布設作業、および、これに続く屋内への布設作業も容易で、効率よく短時間で実施することができ、また、布設後の余長処理を美観を損なうことなく効果的に行うことができ、しかも弛みのない確実な布設を行うことが可能な収納ケース付き光ケーブルとその布設方法を提供する。【解決手段】コイル状に巻回された２巻きの光ケーブル１１ａ，１１ｂをカバーケース１６とベース板１７からなる収納ケース１５に並列状態で収納し、カバーケースに２巻きの光ケーブルをそれぞれ独立して収納ケースから繰出す繰出孔１６ｃを設け、ベース板に少なくとも一方の繰出し孔に連通する貫通孔１７ａを設けて構成される。【選択図】図１
2009093114.tif 000002
【特許請求の範囲】
【請求項１】
コイル状に巻回された２巻の光ケーブルがカバーケースとベース板からなる収納ケースに並列状態で収納され、前記カバーケースは前記２巻の光ケーブルがそれぞれ独立して前記収納ケースから繰出す繰出し孔を備え、前記ベース板は少なくとも一方の前記繰出孔に連通する貫通孔が設けられていることを特徴とする収納ケース付き光ケーブル。
【請求項２】
前記２巻の光ケーブルは、それぞれの繰出し側の端部に光コネクタが取付けられ、他方の端部で互いに一連長で光学的に連続していることを特徴とする請求項１に記載の収納ケース付き光ケーブル。
【請求項３】
前記２巻の光ケーブルは、それぞれの端部に光コネクタが取付けられていることを特徴とする請求項１に記載の収納ケース付き光ケーブル。
【請求項４】
前記２巻の光ケーブルの一方がドロップ用光ケーブルとされ、他方がインドア用光ケーブルとされ、少なくとも前記ドロップ用光ケーブルとされる側の前記繰出し孔にテーパ状の通し孔を有する絞り部材が設けられていることを特徴とする請求項１〜３のいずれか１項に記載の収納ケース付き光ケーブル。
【請求項５】
前記インドア用光ケーブル用とされた光ケーブルは、１捻回／１ターンの捻りを加えてコイル状に巻回され、捻じれのない状態で繰出せるように形成されていることを特徴とする請求項４に記載の収納ケース付き光ケーブル。
【請求項６】
前記インドア用とされた光ケーブルは、ケーブル断面が円形の光ケーブルであることを特徴とする請求項５に記載の収納ケース付き光ケーブル。
【請求項７】
前記請求項１〜６のいずれか１項に記載の収納ケース付き光ケーブルを用い、前記収納ケース付き光ケーブルの繰出し孔と貫通孔に建造物間に張設される支持線に挿通させ、前記収納ケース付き光ケーブルを配線光ケーブル側から引き落とす家屋側に移動させ、前記収納ケース付き光ケーブル内のコイル状に巻回されている一方の光ケーブルを繰出して前記支持線の周りに螺旋状に巻き付け、前記一方の光ケーブルの残りを余長として前記収納ケース付き光ケーブルの収納ケース内に残し、他方の光ケーブルを繰出して家屋内に光配線することを特徴とする収納ケース付き光ケーブルの布設方法。
【請求項８】
前記収納ケース付き光ケーブルに支持線収納リールを組み付け、前記支持線と前記支持線に巻き付ける光ケーブルを同時に繰出して布設することを特徴とする請求項７に記載の収納ケース付き光ケーブルの布設方法。
【発明の詳細な説明】
【技術分野】
【０００１】
本発明は、光ファイバを幹線光ケーブル等からクロージャを介して、加入者宅等に引き落とすのに用いられる収納ケース付き光ケーブルとその布設方法に関する。
【背景技術】
【０００２】
近年の映像配信、データ通信等のブロードバンドサービスの拡大により、光ファイバによる家庭向けのデータ通信サービス（ＦＴＴＨ：Fiber To The Home）の加入者が増加している。このＦＴＴＨでは、光ファイバを架空の幹線光ケーブルまたは支線光ケーブルからクロージャを介して加入者宅等に引き落とすのに、例えば、ドロップ光ケーブルと言われている光ケーブルが多く用いられている。加入者宅への光ファイバの引き落としは、例えば、市街の電柱等に布設された幹線光ケーブルまたは支線光ケーブルを、通常、クロージャと称されている接続函で分岐し、分岐された光ファイバをドロップ光ケーブルに接続して行われている。
【０００３】
この場合に、光ファイバの引き落とし用のドロップ光ケーブルとして、ケーブル本体部と吊線部を切断容易な首部で一体に連結したものを用い、吊線部の両端を家屋等の建造物に固定してケーブル本体部を吊下げ支持する形態で引き落とす方法がある。また、ドロップ光ケーブルに吊線部を有しない光ケーブルを用い、例えば、特許文献１に開示のように、金属線状体あるいは既設の電話線や電力線を支持線として、これに螺旋状に巻き付けて支持させる形態で引き落とす方法もある。
【０００４】
図８は、上記特許文献１に開示の光ファイバの引き落とし方法を示す図である。市街地の電柱３には、例えば、配電線系統の配電線１や光ケーブル配線系統の幹線光ケーブル２等が布設されている。そして、家屋６には、近接する電柱３上の配電線１からの引込み線４、幹線光ケーブル２からのドロップ光ケーブル５が引き落とされる。引込み線４は、その両端が電柱３と家屋６側とで固定され、ドロップ光ケーブル５は、引込み線４に螺旋状に巻き付けるようにして支持される。なお、引込み線４は、単なるメッセンジャワイヤであってもよいとされている。
【０００５】
ドロップ光ケーブル５を布設する方法は、輪状に束ねられたドロップ光ケーブル輪状束５’を、引込み線４の一端を電柱３に引き留めた状態で、引き留めていない他端側（家屋６側）からくぐらせる。次いで、引込み線４の他端を家屋６側の取付部７に固定し、ドロップ光ケーブル輪状束５’の一端を家屋側の接続箱８に接続する。この後、ドロップ光ケーブル５を繰出し、引込み線４に螺旋状に巻き付けながら、ドロップ光ケーブル輪状束５’を電柱３側に移動させる。そして、ドロップ光ケーブル５の先端を、光ケーブル配線系統の幹線光ケーブル２に支持されているクロージャ９を介して、幹線光ケーブル２に接続し、光ファイバの家屋６への引き落としを行っている。
【特許文献１】特開２００２−１４２３１９号公報
【発明の開示】
【発明が解決しようとする課題】
【０００６】
上記の図８に示す方法によりドロップ光ケーブルを布設する場合、その光ケーブル長は、寸足らずにならないように布設距離に対して多少長めにして余長を持たせている。このため、布設終了後に余長として残ったケーブル分の処理が必要となるが、特許文献１においては特に開示がなく、家屋壁等に束ねて支持させるとしても、美観上の問題や人が触れたり風によって束が崩れてしまう恐れがある。
【０００７】
また、図８のようにドロップ光ケーブル輪状束５’を移動させるだけでは、支持線となる線条体（引込み線）４とドロップ光ケーブル５の螺旋状部分とが密着せず、線条体とドロップ光ケーブルとの間の隙間が大きくあいた状態となる。このため、車両等による引っ掛け事故や鳥類による悪戯により断線する恐れがある。
また、通常は、ドロップ光ケーブル５を布設した後、家屋内に光ケーブルを導入して屋内の光配線が行われるが、この屋内の光配線のためのインドア光ケーブルが布設後のドロップ光ケーブル５と接続される。この光ケーブル間の接続は、ある程度の熟練を必要とするうえに、時間を要する作業である。
【０００８】
本発明は、上述した実情に鑑みてなされたもので、光ファイバの引き落としの布設作業、および、これに続く屋内への布設作業も容易で、効率よく短時間で実施することができ、また、布設後の余長処理を美観を損なうことなく効果的に行うことができ、しかも弛みのない確実な布設を行うことが可能な収納ケース付き光ケーブルとその布設方法の提供を目的とする。
【課題を解決するための手段】
【０００９】
本発明による収納ケース付き光ケーブルは、コイル状に巻回された２巻の光ケーブルをカバーケースとベース板からなる収納ケースに並列状態で収納し、カバーケースに２巻の光ケーブルをそれぞれ独立して収納ケースから繰出す繰出孔を設け、ベース板に少なくとも一方の繰出し孔に連通する貫通孔を設けて構成される。
前記の２巻の光ケーブルは、それぞれの繰出し側の端部に光コネクタを取り付け、他方の端部で互いに一連長で光学的に連続するか、または、２巻の光ケーブルのそれぞれの両端部に、光コネクタを取り付ける。
【００１０】
前記の２巻の光ケーブルは、一方がドロップ用光ケーブルとされ、他方がインドア用光ケーブルとされ、少なくともドロップ用光ケーブルとされる側の繰出し孔には、テーパ状の貫通孔を有する絞り部材を取り付けるのが望ましい。また、他方のインドア用とされた光ケーブルは、１捻回／１ターンの捻りを加えてコイル状に巻回し、捻じれのない状態で繰出せるようにすることもできる。このため、インドア光ケーブル用とされる光ケーブルは、ケーブル断面が円形の光ケーブルを用いるのが好ましい。
【００１１】
本発明による上記の収納ケース付き光ケーブルの布設方法は、収納ケース付き光ケーブルの繰出孔と貫通孔に建造物間に張設される支持線に挿通させ、収納ケース付き光ケーブルを配線光ケーブル側から引き落とす家屋側に移動させ、収納ケース付き光ケーブル内のコイル状に巻回されている一方の光ケーブルを繰出して支持線の周りに螺旋状に巻き付け、その光ケーブルの残りを余長として収納ケース内に残し、他方の光ケーブルを繰出して家屋内に光配線する。
また、収納ケース付き光ケーブルに支持線収納リールを組み付け、支持線と該支持線に巻き付ける光ケーブルを同時に繰出して布設することもできる。
【発明の効果】
【００１２】
本発明の収納ケース付き光ケーブルによれば、布設用の２つの光ケーブルはコイル状に束ねられて、収納ケースで保持されているので、運搬、布設作業時の取扱い性がよく、また、一方の光ケーブルで引き落としを行い、他方の光ケーブルで家屋内の光配線とを行うことができ、布設の作業性を向上させて短時間で実施することが可能となる。しかも、支持線に光ケーブルを弛みなく巻き付けて布設することができ、車両等による引っ掛け事故や、鳥類等の悪戯による断線を防止することができる。さらに、残った光ケーブルの余長をそのまま収納ケースに収めて建造物等に保持固定することができ、美観を損なうことなく収納保持することができる。
【発明を実施するための最良の形態】
【００１３】
図により本発明の実施の形態を説明する。図１（ａ）は本発明による収納ケース付き光ケーブルの概略を説明する図、図１（ｂ）は、図１（ａ）のＡ−Ａ断面を示す図である。図２（ａ），（ｂ）は光ケーブルの一例を示す図、図３は絞り部材の一例を示す図である。図中、１０は収納ケース付き光ケーブル、１１ａ，１１ｂは光ケーブルコイル、１２は支持線、１３は光ケーブル、１３ａは巻回部分、１３ｂは繰出し部分、１３ｃは渡り部分、１４ａ，１４ｄは光コネクタ、１５は収納ケース、１６はカバーケース、１６ａ，１６ｂは光ケーブル収納部、１６ｃは繰出し孔、１７はベース板、１７ａは貫通孔、１８は絞り部材、１８ａはテーパ状の通し孔、１９は引張り紐、２０は光ファイバ心線、２１，２１’は抗張力体、２２，２２’はケーブル外被を示す。
【００１４】
本発明による収納ケース付き光ケーブル１０は、図１に示すように、所定長さの光ケーブル１３をコイル状に巻回された２巻の光ケーブル１１ａと１１ｂ（以下、光ケーブルコイルという）を、収納ケース１５に並列状態に収納して構成される。収納ケース１５は、カバーケース１６とベース板１７からなり、カバーケース１６には、光ケーブルコイル１１ａと１１ｂをそれぞれ収納する光ケーブル収納部１６ａと１６ｂを有し、光ケーブルコイル１１ａと１１ｂの光ケーブル１３をそれぞれ独立して繰出す繰出し孔１６ｃが設けられている。ベース板１７は、カバーケース１６の解放側の開口を閉じ、少なくとも一方の繰出し孔１６ｃと対応する位置に、支持線１２を挿通させる貫通孔１７ａが設けられている。
【００１５】
カバーケース１６とベース板１７は、種々の材質のもので形成することができるが、例えば、プラスチック（ポリプロピレン、ポリエチレン、ポリカーボネイド等）の成形で形成することができる。カバーケース１６とベース板１７とで形成される空間部には、光ケーブルコイル１１ａと１１ｂがドーナツ型のコアレスコイル形状で収納され、内側のコイルターンから順次、繰出し孔１６ｃから繰出し可能とされる。
【００１６】
光ケーブルコイル１１ａ，１１ｂの光ケーブル１３は、巻回部分１３ａと繰出し部分１３ｂからなり、巻回部分１３ａはカバーケース１６の光ケーブル収納部１６ａ，１６ｂで保持される。繰出し部分１３ｂはカバーケース１６の繰出し孔１６ｃから引き出され、その先端には、予め光コネクタ１４ａ，１４ｂ（ＳＣコネクタ、ＦＣコネクタ等）が取り付けられる。巻回部分１３ａの終端は、例えば、一連長で連続して渡り部分１３ｃとされ、２巻の光ケーブルコイル１１ａと１１ｂとを光学的に連続させることができる。
【００１７】
光ケーブルコイル１１ａ，１１ｂのうち、一方は幹線光ケーブルに接続して引き落としを行うドロップ用光ケーブルとされ、他方は家屋内の光配線に用いられるインドア用光ケーブルとされる。例えば、図の左側に示す光ケーブルコイル１１ａを引き落とし用のドロップ光ケーブルとすると、この光ケーブルコイル１１ａが収納された側のカバーケース１６に形成した繰出し孔１６ｃと、ベース板１７に形成した貫通孔１７ａに支持線１２を挿通させ、この支持線１２の外周に光ケーブルコイル１１ａの繰出し部分１３ｂを螺旋状に巻き付けながら巻回部分１３ａから繰出して布設される。なお、この支持線１２が挿通される側の繰出し孔１６ｃには、後述する絞り部材１８が取り付けられていることが好ましい。
【００１８】
一方の光ケーブルコイル１１ａをドロップ用光ケーブルとすることで、他方の光ケーブルコイル１１ｂは、インドア用光ケーブルとされて家屋内の光配線に用いられる。この場合、光ケーブルコイル１１ｂは、光ケーブル１３を繰出し孔１６ｃから単に引き出すことにより繰出され、繰出し部分１３ｂの先端に設けた光コネクタ１４ｂを、所定の光コンセント等に接続することで布設することができる。なお、この場合、繰出し部分１３ｂは、配線パイプ内等に挿通させる場合もあり、捻りが生じないような形態で繰出されている方が好ましい。
【００１９】
光ケーブルコイル１１ａ，１１ｂに用いられる光ケーブル１３としては、図２（ａ），（ｂ）に一例として示すような、断面が長方形状のもの、または、断面円形状のもので、吊線部を有しない形状のものが用いられる。ただ、繰出し性を良好にするには、収納ケース内で整列状態で巻き取られていることが好ましく、整列状に巻き取りやすい断面長方形状の光ケーブルの方が望ましいと言える。しかし、捻りがない状態で繰出す場合は、巻回部分１３ａを形成する際に、１ターン毎に捻りを加えるようにして巻回しておく必要があり、この場合は捻りを付与したコイルターンを整列させるには、断面円形状の光ケーブルが適している。
【００２０】
図２（ａ）のような断面が長方形状のものは、例えば、光ファイバ心線２０の両側に抗張力体２１を配し、全体を難燃ポリエチレン等からなるケーブル外被２２（例えば、長辺側３.１ｍｍ、短辺側２ｍｍ程度）で一体に被覆して形成される。光ファイバ心線２０は、標準外径１２５μｍのガラスファイバを外径２５０μｍ程度の保護被覆で被覆したものである。抗張力体２１は、外径０.５ｍｍ程度の鋼線または高強度繊維を樹脂で固めたノンメタリックの線材（ＦＲＰ）で形成されている。また、ケーブル外被２２の長辺側の側面には、引裂き用のＶ字状のノッチが設けられていてもよいが、ノッチを有しない形状のものであってもよい。
【００２１】
また、図２（ｂ）のように、断面が円形状のものは、光ファイバ心線２０の周囲に抗張力体２１’として、アラミド繊維等の高強度繊維を配して、これらを断面円形状のケーブル外被２２’（例えば、外径２ｍｍ程度）で被覆して形成される。抗張力体２１’の高強度繊維は、光ファイバ心線２０の抗張力体としての機能する以外に、外力に対する緩衝体としての機能も有している。
なお、光ケーブル１３は、長方形状または断面円形状のいずれの場合も、ケーブル内の光ファイバが１本〜数本の少ない心数で形成される。
【００２２】
上記した光ケーブル１３は、その巻回部分１３ａを収納ケース１５に収納して、コイル状の巻回状態が保持される。ここで、例えば、一方の光ケーブルコイル１１ａの光ケーブル１３として、上記図（ａ）の長辺側３.１ｍｍ、短辺側２ｍｍ程度の長方形状断面のものを用いるとして、巻回部分１３ａのコイル内径Ｄ１を３０ｍｍ、コイル外径Ｄ２を８０ｍｍ、高さＨを３０ｍｍ程度で巻回すると、長さ２０ｍ程度の光ケーブル１３を収納することができる。
【００２３】
また、他方の光ケーブルコイル１１ｂの光ケーブル１３として、上記と同様に長辺側３.１ｍｍ、短辺側２ｍｍ程度の長方形状断面のものを用いるとして、巻回部分１３ａのコイル内径Ｄ１を３０ｍｍ、コイル外径Ｄ２を６５ｍｍ、高さＨを３０ｍｍ程度で巻回すると、長さ１０ｍ程度の光ケーブル１３を収納することができる。
【００２４】
巻回部分１３ａのコイル内径Ｄ１、コイル外径Ｄ２は、任意に設定することができるが、光ケーブルの曲げ径による伝送品質の劣化を抑えるためには、コイル内径Ｄ１は３０ｍｍ以上とするのが望ましい。
また、収納ケース１５を支持線に挿通させて延線する際に、近傍の障害物に引っ掛かることがなく、また、ケーブル余長の収納体として布設後に家屋の軒下等の建造物に固定設置しておくには、収納ケース１５はあまり大きくすることは望ましくなく、コイル外径Ｄ２は２００ｍｍ程度以下とするのが好ましい。また、コイル外径Ｄ２が過度に大きくなると、支持線１２への巻き付けピッチが大きくなって、密着性が悪くなり弛みが生じやすくなるので、この点からもコイル外径Ｄ２は２００ｍｍ以下とするのが好ましい。
【００２５】
支持線１２が挿通される側の繰出し孔１６ｃに設けられる絞り部材１８としては、図３に示すように、例えば、通し孔１８ａを有する外形が円錐台形状で、合成ゴムや天然ゴム、ポリエチレン等の軟質の材料で形成され、光ケーブル１３の繰り出し時に、ケーブル外被を損傷しないようにされる。また、この絞り部材１８は、スムーズな繰出しを実現するために、通し孔１８ａをテーパ状としてある。さらに、光ケーブル１３の繰出し部分１３ｂが、支持線１２に密接に巻き付けられて延線されるように、絞り口１８ｂを適当な口径とすることができる。例えば、支持線１２の外形を２ｍｍ、光ケーブル１３の外寸が３ｍｍの場合は、絞り口１８ｂの口径Ｓは５ｍｍ程度とするとよい。
【００２６】
また、収納ケース１５の適当な部分に引張り紐１９を取り付けておくとよい。これは、収納ケース付き光ケーブル１０を高所から低所に、あるいは反対の低所から高所に布設する際に、収納ケース１５を支持線に沿って移動させるのに便なるもので、作業者は地上から引張り紐１９を操作するだけで布設を可能とする。なお、引張り紐１９には、種々の材質のものを用いることができるが、例えば、引張り強度のあるアラミド繊維紐等が好ましい。
【００２７】
図４は、他の実施形態を説明する図で、図中の符号は、図１の説明に用いたのと同じ符号を用いることにより詳細説明を省略する。
この図４に示す収納ケース付き光ケーブル１０’は、基本構成は図１の例と同じで、所定長さの光ケーブル１３をコイル状に巻回した２巻の光ケーブルコイル１１ａと１１ｂを、収納ケース１５に並列状態に収納して構成される。収納ケース１５のカバーケース１６は、光ケーブルコイル１１ａと１１ｂをそれぞれ収納する光ケーブル収納部１６ａと１６ｂを有し、光ケーブル１３をそれぞれ独立して繰出す繰出し孔１６ｃが設けられている。そして、ベース板１７は、カバーケース１６の解放側の開口を閉じ、少なくとも一方の繰出し孔１６ｃと対応する位置に支持線１２を挿通させる貫通孔１７ａが設けられている。
【００２８】
光ケーブルコイル１１ａ，１１ｂの光ケーブル１３は、巻回部分１３ａと繰出し部分１３ｂからなり、巻回部分１３ａはカバーケース１６の光ケーブル収納部１６ａ，１６ｂで保持される。繰出し部分１３ｂは、巻回部分１３ａの内側のコイルターンからカバーケース１６の繰出し孔１６ｃから引き出され、順次繰出される、そして、その先端には、予め光コネクタ１４ａ，１４ｂ（ＳＣコネクタ、ＦＣコネクタ等）が取り付けられる。また、巻回部分１３ａの最外側のコイルターンで、その終端部分は収納ケース１５の外に引き出し可能とされ、光コネクタ１４ｃ、１４ｄが予め取り付けられる。
【００２９】
図４の実施形態は、図１の実施形態が光ケーブルコイル１１ａと１１ｂの終端側が渡り部分１３ｃ互いに一連長で連続して巻回されているのに対し、２巻の光ケーブルコイル１１ａと１１ｂの終端部分にも光コネクタ１４ｃ、１４ｄが取り付けられ、完全に独立した光ケーブルとされている点で異なっている。すなわち、光ケーブルコイル１１ａと１１ｂとは、独立して形成することができ、例えば、一方の光ケーブルコイル１１ａを図２（ａ）の断面長方形状の光ケーブルで形成し、他方の光ケーブルコイル１１ｂを図２（ｂ）の断面円形状の光ケーブルで形成することもできる。これにより、例えば、光ケーブルコイル１１ｂは、撚りをかけた状態でコイル状に巻き取り、繰出した際に撚りが生じない構成を、容易に実現することができる。
【００３０】
図４の例で、光ケーブルコイル１１ａと１１ｂとは、終端部分に取り付けた光コネクタ１４ｃと１４ｄを相互接続することにより、図１の例と同様な形態となり、一方をドロップ用光ケーブルとし、他方をインドア用光ケーブルとすることができる。また、いずれか一方の側の光ケーブルが損傷した場合には、損傷した側の光ケーブルのみの布設を交換するだけで済み、修復に要する費用を安くすることが可能となる。さらに、屋外布設のドロップ用の光ケーブルと、屋内布設のインドア用の光ケーブルとの電気的絶縁（縁切り）を容易に行うことができる。その他、例示のように、光ケーブルコイル１１ａと１１ｂとの収納長が異なる場合、屋外側と屋内側の光ケーブル布設距離を考慮して、光ケーブルを入れ替えて使用することもできる。
【００３１】
図５Ａ〜図５Ｂは、図１で説明した収納ケース付き光ケーブルを製造する手順の一例を説明する図である。まず、図５Ａ（ａ）に示すように、所定長さの光ケーブル１３の一方の端部を巻始端として、リール２３ａで巻き取りを行い、光ケーブル１３の他方の端部をもう一つの巻始端として、リール２３ｂで巻き取る。ここで、例えば、リール２３ａ側で巻き取られた光ケーブルを図１で説明した光ケーブルコイル１１ａとし、リール２３ｂ側で巻き取られた光ケーブルを図１で説明した光ケーブルコイル１１ｂとする。
【００３２】
次いで、図５Ａ（ｂ）に示すように、２つのリール２３ａと２３ｂ上に整列巻きで巻き取られた光ケーブルコイル１１ａと１１ｂとは、その巻終端を切断することなく一連長のまま連続させて、並列状態にして並べられる。なお、リール２３ａ，２３ｂは、胴部２４ａ，２４ｂの両側に鍔部２５ａ，２５ｂと２６ａ，２６ｂとを有し、各部は接着剤やネジ止により、取り外し可能に組み付けられている。
【００３３】
次に、図５Ａ（ｃ）に示すように、リール２３ａ，２３ｂの一方の鍔部２５ａ，２５ｂを取り外し、胴部２４ａ，２４ｂに巻き取られている光ケーブルコイル１１ａと１１ｂの片方の端面を露出させる。
この後、図５Ａ（ｄ）に示すように、一方の鍔部２５ａ，２５ｂが取り外され露出された側の光ケーブルコイル１１ａと１１ｂの端面を覆うように、図１で説明したカバーケース１６を被せて、整列巻きされている巻回状態の崩れを一時的に防止する。
【００３４】
次いで、図５Ｂ（ａ）に示すように、カバーケース１６で光ケーブルコイル１１ａと１１ｂを仮保持させた状態で、胴部２４ａ，２４ｂともう一方の鍔部２６ａ，２６ｂとを結合させたまま抜き取る。そして、鍔部２６ａ，２６ｂに代えて、ベース板１７がカバーケース１６の解放側の開口を塞ぐように取り付ける。この段階で、光ケーブルコイル１１ａと１１ｂとは、コアレスコイル形状とされて収納保持される。そして、巻回部分１３ａの内側のコイルターンから、カバーケース１６に形成されている繰出し孔１６ｃを通して巻始端部分１３ｄを引き出す。
【００３５】
次に、図５Ｂ（ｂ）に示すように、カバーケース１６の少なくともドロップ用光ケーブルとされる側の繰出し孔１６ｃに、図３で説明した絞り部材１８を取り付け固定する。この絞り部材１８のテーパ状の通し孔に、巻回部材１３ａから繰出されている巻始端部分１３ｄを通し、その先端に光コネクタ１４ａを取り付ける。また、インドア用光ケーブルとされる側の繰出し孔１６ｃから引き出されている巻始端部分１３ｄの先端にも、同様に光コネクタ１４ｂを取り付け、図１で説明したような収納ケース付き光ケーブルとすることができる。
【００３６】
図６Ａ〜図６Ｃは、上述した図１に示す収納ケース付き光ケーブルを布設する布設方法の一例を説明する図である。ここでは、図６Ａ（ａ）に示すように、電柱３上に架空配線されている幹線光ケーブル２からクロージャ９を介して、近くの家屋６に光ファイバを引き落とすことを想定するものとする。この場合、電柱３を一方の建造物とし、家屋６を他方の建造物として、クロージャ９が電柱３あるいは幹線光ケーブル２で支持されているとし、電柱３と家屋６との間に支持線１２を新たに張設して、この支持線１２に沿わせて光ケーブルの布設を行うものとする。
【００３７】
支持線１２は、例えば、外径１.２ｍｍ程度の鋼線に、外径２.０ｍｍ程度でポリエチレンの被覆を施したものが用いられる。この支持線１２は、一方の端部を光ケーブルのユーザとなる家屋６の取付部７に引留具等を用いて固定し、他方の端部を電柱３の上部に向けて延線する。次いで、図６Ａ（ｂ）に示すように、支持線１２の延線端に、図１で説明した本発明による収納ケース付き光ケーブル１０をくぐらせる。
【００３８】
収納ケース付き光ケーブル１０の収納ケース１５に支持線１２が挿通された後、図６Ａ（ｃ）に示すように、支持線１２の他方の端部を、電柱３の上方に設けられている取付部に家屋側と同様に引留具等を用いて固定し、支持線１２を弛みの無いように張設する。このとき、収納ケース付き光ケーブル１０の収納ケース１５は、支持線１２の他方の端部側に支持されクロージャ９の近くに位置している。そこで、収納ケース１５のケーブル繰出し側に引き出されている光コネクタ１４ａをさらに引き出して、クロージャ９内に予め準備されている接続部に接続し、ドロップ用とされた光ケーブルコイルの一方の端部側を固定する。
【００３９】
このとき、図６Ｂ（ａ）に示すように、収納ケース付き光ケーブル１０の収納ケース１５に引張り紐１９を取り付けて、作業者が地上から引っ張れる長さで垂らす。次いで、図６Ｂ（ｂ）に示すように、作業者は地上から引張り紐１９をゆっくり引っ張りながら、収納ケース１５を支持線１２に沿って家屋６方向に移動させる。この結果、収納ケース１５内にコイル状に巻回されて収納されている光ケーブルの繰出し部分１３ｂが、支持線１２の外周に螺旋状に巻き付くようにして繰出され、布設される。
【００４０】
収納ケース１５が、家屋６の軒下位置まで引き寄せられると、図６Ｂ（ｃ）に示すように、収納ケース内に光ケーブルの余長分が残った状態のまま、収納ケース１５を家屋の所定の取付部に固定する。
次いで、図６Ｃに示すように、収納ケース付き光ケーブル１０のもう一方のインドア用とした光ケーブルが、収納ケース１５から繰出され、家屋内に設置された配線管等に挿通させるなどして屋内での布設が行われる。そして、その先端に設けられている光コネクタ１４ｂは、家屋に設置された光コンセント等に接続される。
【００４１】
図７は、他の布設方法の一例を説明する図である。この布設方法は、新たに支持線１２を布設すると同時に光ケーブルの布設も合わせて行う方法である。３０は支持線１２が巻き取られている支持線収納リールで、この支持線収納リール３０に支持アーム３１により、図１で説明した収納ケース付き光ケーブル１０を保持させ、また、支持線収納リール３０を手に持って移動させるためのハンドル３２を備えている。
【００４２】
光ケーブルの布設に際しては、支持線収納リール３０から支持線１２の先端を収納ケース付き光ケーブル１０の収納ケース１５に挿通させ後、支持線１２の先端を電柱の上方に設けられている取付部に固定すると共に、光ケーブルの繰出し部分１３ｂの先端に取り付けられている光コネクタ１４ａをクロージャの接続部に接続し、ドロップ用とされた光ケーブルの一方の端部側を固定する。
【００４３】
次いで、支持線収納リール３０で支持線１２を繰出しながら、支持線１２の外周に光ケーブルの繰出し部分１３ｂを巻き付けながら、収納ケース付き光ケーブル１０と支持線収納リール３０を家屋の軒下位置まで引き寄せる。そして、この後、収納ケース付き光ケーブル１０を支持線収納リール３０から外し、支持線１２を切断して家屋軒下の取付部に引留具等を用いて固定し、以下、前記した図６Ｂ（ｃ）〜図６Ｃと同様の方法により、布設を完了させることができる。
【００４４】
図６Ａ〜図７では、新たに支持線を布設する例を示したが、既設のメタル電話線等を支持線として、この外周に本発明による収納ケース付き光ケーブルを用いて布設することもできる。この場合、例えば、以下の手順で実施することができる。
（１）家屋の軒下まで来ている既設の電話線端末部で、電話線の支持線を固定具から外すと共に、電話線の通信線部を切断する。
（２）前記の作業でフリーとなった電話線と支持線の端部側に、図１で説明した収納ケース付き光ケーブルをくぐらせ、収納ケースに電話線と支持線を挿通させる。
（３）次いで、固定具から外された電話線の支持線を再度固定具で固定し、張設された状態に戻す。
【００４５】
（４）収納ケースを電話線およびその支持線に沿って、幹線光ケーブルのクロージャ方向に引っ張り上げる。
（５）収納ケース付き光ケーブルの一方の先端に取り付けられている光コネクタを、クロージャ内の予め準備されている接続部に接続し、光ケーブルの一方の端部側を固定する。
（６）次いで、図６Ｂ（ａ）〜図６（ｃ）で説明したのと同様な方法により、収納ケースを支持線に沿って家屋の軒下方向に移動させる。この結果、収納ケース内にコイル状に巻回収納されている光ケーブルが、支持線および電話線の外周に螺旋状に巻き付くようにして繰出されて布設される。
【００４６】
（７）収納ケース付き光ケーブルが、家屋の軒下位置まで引き寄せられると、収納ケース内にケーブル余長分が残った状態のまま、収納ケースを家屋の所定の取付部分に固定設置する。そして、インドア用とされた光ケーブルを引き出して家屋内の配線を行った後、その先端に設けられている光コネクタ１４ｂは、家屋に設置された光コンセント等に接続される。また、切断された既設の電話線は、電気接続部材を用いて再接続するようにしてもよいが、ドロップ光ケーブルの収納ケースのベース板にメタル端子台を設けて接続するようにしてもよい。
【図面の簡単な説明】
【００４７】
【図１】本発明による収納ケース付き光ケーブルの一例を説明する図である。
【図２】本発明で用いられる光ケーブルの一例を説明する図である。
【図３】本発明で用いられる絞り部材の一例を説明する図である。
【図４】本発明による収納ケース付き光ケーブルの他の例を説明する図である。
【図５Ａ】本発明による収納ケース付き光ケーブルを製造する手順の一例を説明する図である。
【図５Ｂ】図５Ａに引続く手順を説明する図である。
【図６Ａ】本発明による収納ケース付き光ケーブルの布設方法の一例を説明する図である。
【図６Ｂ】図６Ａに続く布設方法を説明する図である。
【図６Ｃ】図６ｂに続く布設方法を説明する図である。
【図７】本発明による収納ケース付き光ケーブルの布設方法の他の例を説明する図である。
【図８】従来技術を説明する図である。
【符号の説明】
【００４８】
１０，１０’…収納ケース付き光ケーブル、１１ａ，１１ｂ…光ケーブルコイル、１２…支持線、１３…光ケーブル、１３ａ…巻回部分、１３ｂ…繰出し部分、１３ｃ…渡り部分、１３ｄ…巻始端部分、１４ａ〜１４ｄ…光コネクタ、１５…収納ケース、１６…カバーケース、１６ａ，１６ｂ…光ケーブル収納部、１６ｃ…繰出し孔、１７…ベース板、１７ａ…貫通孔、１８…絞り部材、１８ａ…テーパ状の通し孔、１８ｂ…絞り口、１９…引張り紐、２０…光ファイバ心線、２１，２１’…抗張力体、２２，２２’…ケーブル外被、２３ａ，２３ｂ…リール、２４ａ，２４ｂ…胴部、２５ａ〜２６ｂ…鍔部、３０…支持線収納繰リール、３１…支持アーム、３２…ハンドル。
【図１】
2009093114.tif 000003
【図２】
2009093114.tif 000004
【図３】
2009093114.tif 000005
【図４】
2009093114.tif 000006
【図５Ａ】
2009093114.tif 000007
【図５Ｂ】
2009093114.tif 000008
【図６Ａ】
2009093114.tif 000009
【図６Ｂ】
2009093114.tif 000010
【図６Ｃ】
2009093114.tif 000011
【図７】
2009093114.tif 000012
【図８】
2009093114.tif 000013